(57)【要約】【課題】締結装置を提供する。【解決手段】収容空間を形成するように囲む側壁と、側壁から収容空間へ突出する複数の噛み歯と、を含むケースユニットと、ケースユニットを覆ってよいノブと、収容空間に位置し、噛み歯に対応し且つ選択的にノブに結合される回り止めユニットと、を備え、ノブが軸方向に沿って第１の位置と第２の位置との間で切り替えられ、ノブが第１の位置に位置する場合に回り止めユニットに結合されて、ノブと回り止めユニットとを連動させ、回り止めユニットが少なくとも１つの噛み歯に係合してノブの第１の方向への回転を阻止し、ノブが第２の位置に位置する場合、ノブが回り止めユニットから離れて且つ回り止めユニットから離脱し、回り止めユニットがノブの第１の方向への回転を阻止しない締結装置を提供する。これにより、構造の信頼性を向上させる。【選択図】図２
2020179145.tif 000002
【特許請求の範囲】
【請求項１】
収容空間を形成するように囲んでなる側壁と、前記側壁から径方向に突出して前記収容空間を上部チャンバ及び下部チャンバに分けるコンパートメント部と、前記上部チャンバに位置する複数の噛み歯と、を含むケースユニットと、
前記下部チャンバに位置し且つフレキシブル係合部を含むリールと、
前記リールに挿通されて前記フレキシブル係合部に結合され、軸方向を有する位置決め軸と、
前記ケースユニットを覆い且つ前記位置決め軸に接続されるノブと、
前記上部チャンバに位置し、前記噛み歯に対応し且つ選択的に前記ノブに結合される回り止めユニットと、
を備え、
前記ノブは前記位置決め軸を前記軸方向に沿って第１の位置と第２の位置との間で切り替えるように連動させ、前記ノブが前記第１の位置に位置する場合に前記回り止めユニットに結合され、且つ前記回り止めユニットが少なくとも１つの前記噛み歯に係合して前記リールの第１の方向への回転を阻止し、前記ノブが前記第２の位置に位置する場合、前記ノブが前記回り止めユニットから離脱し、前記回り止めユニットが前記リールの前記第１の方向への回転を阻止しない締結装置。
【請求項２】
前記リールは、
前記位置決め軸が挿通するための貫通空間を形成するように囲んでなる内周壁を含む中空主体と、
前記中空主体の一端から径方向に外へ突出する上ループ部と、
前記中空主体の他端から径方向に外へ突出する下ループ部と、
を備え、
前記上ループ部と前記下ループ部との間に巻線トラックが形成され、且つ前記フレキシブル係合部が前記内周壁から前記貫通空間へ突出して前記位置決め軸に結合される請求項１に記載の締結装置。
【請求項３】
前記位置決め軸は位置決めバルジを含み、前記ノブが前記第１の位置に位置する場合、前記位置決めバルジが前記フレキシブル係合部の一側に位置し、前記ノブが前記軸方向に沿って前記第１の位置から前記第２の位置に切り替えられる場合、前記位置決めバルジが前記フレキシブル係合部を変形するように当接してから前記フレキシブル係合部の他側に位置変更する請求項２に記載の締結装置。
【請求項４】
前記ケースユニットは、前記コンパートメント部に接続されるように前記上部チャンバに位置し、前記回り止めユニットを位置限定する位置限定部を更に含む請求項１に記載の締結装置。
【請求項５】
前記ケースユニットは、前記コンパートメント部に位置するスルーホールを含み、前記位置限定部は、間隔をあけて前記スルーホールに囲まれ、その各々の自由端が前記回り止めユニットを位置限定する４つの位置限定部アームを含む請求項４に記載の締結装置。
【請求項６】
前記ノブは複数の第１の駆動歯を含み、前記回り止めユニットは複数の第１の結合歯を含み、前記ノブが前記第１の位置に位置する場合、前記第１の駆動歯は前記第１の結合歯に噛み合い、前記ノブが前記第２の位置に位置する場合、前記第１の駆動歯は前記第１の結合歯から離脱する請求項５に記載の締結装置。
【請求項７】
前記ノブは、
前記ケースユニットを覆う蓋本体と、
前記スルーホールに伸びるように前記蓋本体に設けられるボスと、
前記リールに結合されるように、前記ボスの前記蓋本体から離れる遠位端に位置する複数の第２の駆動歯と、
を更に含む請求項６に記載の締結装置。
【請求項８】
前記ノブは、前記ケースユニットを覆う蓋本体と、前記スルーホールに対応するように前記蓋本体に設けられるボスと、前記ボスの前記蓋本体から離れる遠位端に位置する複数の第２の駆動歯と、を更に含み、
前記締結装置は、前記第２の駆動歯に噛み合う太陽歯車と、前記太陽歯車に噛み合うように、間隔をあけて前記リールに設けられる複数遊星歯車と、を含む遊星歯車セットを更に備え、
前記ケースユニットは、前記遊星歯車に噛み合うように、前記下部チャンバに位置する複数の遊星内歯を更に含む請求項６に記載の締結装置。
【請求項９】
収容空間を形成するように囲んでなる側壁と、前記側壁から前記収容空間へ突出する複数の噛み歯と、を含むケースユニットと、
前記ケースユニットを覆うノブと、
前記収容空間に位置し、前記噛み歯に対応し且つ選択的に前記ノブに結合される回り止めユニットと、
を備え、
前記ノブが軸方向に沿って第１の位置と第２の位置との間で切り替えられ、前記ノブが前記第１の位置に位置する場合に前記回り止めユニットに結合されて、前記ノブと前記回り止めユニットとを連動させ、前記回り止めユニットが少なくとも１つの前記噛み歯に係合して前記ノブの第１の方向への回転を阻止し、前記ノブが前記第２の位置に位置する場合、前記ノブが前記回り止めユニットから離れて且つ前記回り止めユニットから離脱し、前記回り止めユニットが前記ノブの前記第１の方向への回転を阻止しない締結装置。
【請求項１０】
前記収容空間に位置限定され且つフレキシブル係合部を含むリールと、
前記リールに挿通されて前記フレキシブル係合部に結合され、前記軸方向を有し、且つ前記ノブによって連動される位置決め軸と、
を含み、
前記ノブが前記第１の位置に位置する場合に前記リールに結合される請求項９に記載の締結装置。
【請求項１１】
前記リールは、
貫通空間を形成するように囲んでなり且つ前記位置決め軸が挿通することに用いられる内周壁を含む中空主体と、
前記中空主体の一端から径方向に外へ突出する上ループ部と、
前記中空主体の他端から径方向に外へ突出する下ループ部と、
を含み、
前記上ループ部と前記下ループ部との間に巻線トラックが形成され、且つ前記フレキシブル係合部が前記内周壁から前記貫通空間へ突出して前記位置決め軸に結合される請求項１０に記載の締結装置。
【請求項１２】
前記位置決め軸は位置決めバルジを含み、前記ノブが前記第１の位置に位置する場合、前記位置決めバルジは、前記フレキシブル係合部の一側に位置し、前記ノブが前記軸方向に沿って前記第１の位置から前記第２の位置に切り替えられる場合、前記位置決めバルジが前記フレキシブル係合部を変形するように当接してから前記フレキシブル係合部の他側に位置変更する請求項１１に記載の締結装置。
【発明の詳細な説明】
【技術分野】
【０００１】
本発明は、締結装置に関し、特に、ひもを締緩可能な締結装置に関する。
【背景技術】
【０００２】
日常生活において、物品を締め付けるために、ロープ及びひもはよく使用される。レースシューズのような、ラインで物品における穴を往復して貫通して、結び目等で固定する締め付け手段は最もよく見られる。しかしながら、このような締め付け方法では、外力により結び目が緩んでしまう傾向があるため、結び目を改めて締め付ける必要があるだけでなく、物品を安定的に締め付けることができないことで多くの不都合を招く。
【０００３】
このような課題を解決するために、簡易な締めひも構造が業界によって提供される。その簡易な締めひも構造は、ケース、回り止めユニット及びバネを含み、ケースにひもを貫通させるためのスルーホールを有し、バネと回り止めユニットとの間の作用力によってひもを回り止めユニットとケースとの間に挟まって締結効果を実現し、バネを押し付けて回り止めユニット位置を変えるとひもの長さを変えることができる。しかし、このような締めひも構造は、バネの復帰力によって締結力を提供するので、相変わらず震動又は外部要因によりひもが係脱し、且つこのような締めひも構造にひもを収納する空間がないため、ひもが露出して危険性がある。
【発明の概要】
【発明が解決しようとする課題】
【０００４】
そのため、業者により、回転可能に締めひもを締め付け固定する別の留め具が発展される。その留め具は、ひもが留め具の内部に収納されることができ、且つ内部材の機械の干渉によってひもの長さを調整すると共に、締め付けるタイト度を調整することができる。しかし、このような留め具の構造は、複雑であるので、製造コストが向上すると共に、組立及びメンテナンスが困難である問題がある。
【０００５】
従って、業者により留め具の内部の構造に対して絶えなく調整及び改良を加えるのは、何れも構造を簡素化する前提で、相変わらず留め具の締結能力を保持し、寿命の短縮を避けるように構造の信頼性を向上させることが望まれている。
【０００６】
これに鑑みて、如何に留め具構造等の締結装置を効果的に改善するかは、業者にとって努力する目標となる。
【課題を解決するための手段】
【０００７】
本発明は、全体の構造配置によって構造を簡略化し構造の信頼性を向上させることのできる締結装置を提供する。
【０００８】
本発明の態様の実施形態によれば、収容空間を形成するように囲んでなる側壁と、側壁から径方向に突出して収容空間を上部チャンバ及び下部チャンバに分けるコンパートメント部と、上部チャンバに位置する複数の噛み歯と、を含むケースユニットと、下部チャンバに位置し且つフレキシブル係合部を含むリールと、リールに挿通されてフレキシブル係合部に結合され、軸方向を有する位置決め軸と、ケースユニットを覆ってよく且つ位置決め軸に接続されるノブと、上部チャンバに位置し、噛み歯に対応し且つ選択的にノブに結合される回り止めユニットと、を備え、ノブは位置決め軸を軸方向に沿って第１の位置と第２の位置との間で切り替えるように連動させ、ノブが第１の位置に位置する場合に回り止めユニットに結合され、且つ回り止めユニットが少なくとも１つの噛み歯に係合してリールの第１の方向への回転を阻止し、ノブが第２の位置に位置する場合、ノブが回り止めユニットから離脱し、回り止めユニットがリールの第１の方向への回転を阻止しない締結装置を提供する。
【０００９】
これにより、ノブのみが軸方向に沿って変位し、回り止めユニットが相変わらず原位置に残っており、構造の信頼性を向上させることができる。
【００１０】
前記の締結装置の複数の実施例によれば、リールは、位置決め軸が挿通するための貫通空間を形成するように囲んでなる内周壁を含む中空主体と、中空主体の一端から径方向に外へ突出する上ループ部と、中空主体の他端から径方向に外へ突出する下ループ部と、を備えてよい。上ループ部と下ループ部との間に巻線トラックが形成され、且つフレキシブル係合部が内周壁から貫通空間へ突出して位置決め軸に結合される。或いは、位置決め軸は位置決めバルジを含んでよい。ノブが第１の位置に位置する場合、位置決めバルジがフレキシブル係合部の一側に位置し、ノブが軸方向に沿って第１の位置から第２の位置に切り替えられる場合、位置決めバルジがフレキシブル係合部を変形するように当接してからフレキシブル係合部の他側に位置変更する。
【００１１】
前記の締結装置の複数の実施例によれば、コンパートメント部に接続されるように上部チャンバに位置し、回り止めユニットを位置限定する位置限定部を更に含んでよい。或いは、ケースユニットは、コンパートメント部に位置するスルーホールを含みてよい。位置限定部は、間隔をあけてスルーホールに囲まれ、その各々の自由端が回り止めユニットを位置限定する４つの位置限定部アームを含む。
【００１２】
前記の締結装置の複数の実施例によれば、ノブは複数の第１の駆動歯を含んでよい。回り止めユニットは複数の第１の結合歯を含み、ノブが第１の位置に位置する場合、第１の駆動歯は第１の結合歯に噛み合い、ノブが第２の位置に位置する場合、第１の駆動歯は第１の結合歯から離脱する。或いは、ノブは、ケースユニットを覆う蓋本体と、スルーホールに伸びるように蓋本体に設けられるボスと、リールに結合されるように、ボスの蓋本体から離れる遠位端に位置する複数の第２の駆動歯と、を更に含んでよい。或いは、ノブは、ケースユニットを覆う蓋本体と、スルーホールに対応するように蓋本体に設けられるボスと、ボスの蓋本体から離れる遠位端に位置する複数の第２の駆動歯と、を更に含んでよい。締結装置は、第２の駆動歯に噛み合う太陽歯車と、太陽歯車に噛み合うように、間隔をあけてリールに設けられる複数遊星歯車と、を含む遊星歯車セットを更に備える。且つ、ケースユニットは、遊星歯車に噛み合うように、下部チャンバに位置する複数の遊星内歯を更に含む。
【００１３】
本発明の態様の別の実施形態によれば、収容空間を形成するように囲んでなる側壁と、側壁から収容空間へ突出する複数の噛み歯と、を含むケースユニットと、ケースユニットを覆ってよいノブと、収容空間に位置し、噛み歯に対応し且つ選択的にノブに結合される回り止めユニットと、を備え、ノブが軸方向に沿って第１の位置と第２の位置との間で切り替えられ、ノブが第１の位置に位置する場合に回り止めユニットに結合されて、ノブと回り止めユニットとを連動させ、回り止めユニットが少なくとも１つの噛み歯に係合してノブの第１の方向への回転を阻止し、ノブが第２の位置に位置する場合、ノブが回り止めユニットから離れて且つ回り止めユニットから離脱し、回り止めユニットがノブの第１の方向への回転を阻止しない締結装置を提供する。
【００１４】
これにより、ノブのみが軸方向に沿って変位し、回り止めユニットが相変わらず原位置に残っており、構造の信頼性を向上させることができる。
【００１５】
前記の締結装置の複数の実施例によれば、収容空間に位置限定され且つフレキシブル係合部を含むリールと、リールに挿通されてフレキシブル係合部に結合され、位置決め軸が軸方向を有し、且つ位置決め軸がノブによって連動される位置決め軸と、を含んでよく、ノブが第１の位置に位置する場合リールに結合される。
【００１６】
前記の締結装置の複数の実施例によれば、リールは、位置決め軸が挿通するための貫通空間を形成するように囲んでなる内周壁を含む中空主体と、中空主体の一端から径方向に外へ突出する上ループ部と、中空主体の他端から径方向に外へ突出する下ループ部と、を含んでよい。上ループ部と下ループ部との間に巻線トラックが形成され、且つフレキシブル係合部が内周壁から貫通空間へ突出して位置決め軸に結合される。或いは、位置決め軸は位置決めバルジを含んでよく、ノブが第１の位置に位置する場合、位置決めバルジがフレキシブル係合部の一側に位置し、ノブが軸方向に沿って第１の位置から第２の位置に切り替えられる場合、位置決めバルジがフレキシブル係合部を変形するように当接してからフレキシブル係合部の他側に位置変更する。
【図面の簡単な説明】
【００１７】
【図１】本発明の実施形態による締結装置を示す斜視模式図である。
【図２】図１の締結装置を示す分解模式図である。
【図３】図１の締結装置を示す別の分解模式図である。
【図４】図１の締結装置を示す断面模式図である。
【図５】図１の締結装置を示す別の断面模式図である。
【図６】本発明の別の実施例による締結装置を示す斜視模式図である。
【図７】図６の締結装置を示す分解模式図である。
【図８】図６の締結装置を示す別の分解模式図である。
【図９】図６の締結装置を示す断面模式図である。
【図１０】図６の締結装置を示す別の断面模式図である。
【発明を実施するための形態】
【００１８】
以下、図面に合わせて本発明の実施例を説明する。明らかに説明するために、数多くの実際の細部を以下の説明で併せて説明する。しかしながら、これらの実際の細部は本発明を制限するためのものではないことが理解すべきである。つまり、本発明の部の実施例において、これらの実際の細部はが必要なものではない。そのほか、図面を簡略化するために、ある従来慣用の構造と素子を図面において簡単に模式的に示す。また、重複した素子を同一の番号で示すことがある。
【００１９】
なお、本文における素子（機構やモジュール等）が他の素子に「接続」、「設置」又は「結合」されることは、前記素子が他の素子に直接接続、直接設置又は直接結合されることを指してもよいし、ある素子が他の素子に間接接続、間接設置又は間接結合されることを指してもよい。つまり、前記素子と他の素子との間にその他の素子が介在されることを意味する。ある素子が他の素子に「直接接続」、「直接設置」又は「直接結合」されることが明示される場合、前記素子と他の素子との間にその他の素子が介在されないことを示す。第１、第２、第３等の用語は、単に異なる素子又は成分を記述するためのものであるので、素子／成分そのものに対して制限はない。そのため、第１の素子／成分を第２の素子／成分に変更してもよい。且つ、本文における素子／成分／機構／モジュールの組み合わせは、当分野において一般的に知られた、常規又は既知の組み合わせではなく、素子／成分／機構／モジュールそのものが従来のものであるかに基づいて、その組み合わせ関係が当業者により容易に完成されるかを判断することはできない。
【００２０】
図１、図２、図３、図４及び図５を参照されたい。図１は、本発明の実施例による締結装置１００を示す斜視模式図である。図２は、図１の締結装置１００を示す分解模式図である。図３は、図１の締結装置１００を示す別の分解模式図である。図４は、図１の締結装置１００を示す断面模式図である。図５は、図１の締結装置１００を示す別の断面模式図である。締結装置１００は、ケースユニット２００と、リール３００と、位置決め軸６００と、ノブ５００と、回り止めユニット４００と、を含む。
【００２１】
ケースユニット２００は、側壁２２０及び複数の噛み歯２４０を含む。側壁２２０が収容空間を形成するように囲んでなり（図示せず）、複数の噛み歯２４０が側壁２２０から収容空間へ突出する。ノブ５００がケースユニット２００を覆い且つ位置決め軸６００に接続される。回り止めユニット４００は、収容空間に位置し、噛み歯２４０に対応し且つ選択的にノブ５００に結合される。ノブ５００及びケースユニット２００の１つは、回り止めユニット４００に対応する複数の噛み歯２４０（本実施例において、ケースユニット２００が複数の噛み歯２４０を含み）を含む。ノブ５００が軸方向Ｉ１に沿って第１の位置と第２の位置との間で切り替えられる。ノブ５００は、第１の位置に位置する場合、回り止めユニット４００に結合されて、回り止めユニット４００と連動する。回り止めユニット４００は、ノブ５００の第１の方向Ｒ１への回転を阻止するために、少なくとも１つの噛み歯２４０に係合する。ノブ５００は、第２の位置に位置する場合、回り止めユニット４００から離れて且つ回り止めユニット４００から離脱し、回り止めユニット４００がノブ５００の第１の方向Ｒ１への回転を阻止しない。
【００２２】
これにより、ノブ５００のみが軸方向Ｉ１に沿って変位し、回り止めユニット４００が相変わらず原位置に残っており、構造の信頼性を向上させることができる。下記で、締結装置１００の細部構造を更に詳しく説明する。
【００２３】
ケースユニット２００は、前記側壁２２０、コンパートメント部２３０及び前記の複数の噛み歯２４０を含んでよい。コンパートメント部２３０は、側壁２２０から径方向に突出して、収容空間を上部チャンバＳ１１及び下部チャンバＳ１２に分ける。複数の噛み歯２４０が上部チャンバＳ１１に位置し、回り止めユニット４００が上部チャンバＳ１１に位置して噛み歯２４０に対応する。より詳しく言えば、ケースユニット２００は、シャーシ２１０を更に含んでよい。側壁２２０は、上周壁２２１及び下周壁２２２を含んでよい。下周壁２２２がシャーシ２１０に固接される。コンパートメント部２３０が上周壁２２１の下縁に接続される。側壁２２０は、４つの位置決め部２２３及び４つの位置決め孔２２４を更に含んでよい。各位置決め部２２３が上周壁２２１の下縁から下へ突出し、各位置決め孔２２４が下周壁２２２に位置し且つ各位置決め部２２３の嵌合に用いられる。従って、各位置決め部２２３が各位置決め孔２２４に係合した後で、シャーシ２１０、下周壁２２２及びコンパートメント部２３０は下部チャンバＳ１２を囲んでなり、上周壁２２１及びコンパートメント部２３０は上部チャンバＳ１１を囲んでなる。
【００２４】
ケースユニット２００は、位置限定部２５０を更に含んでよい。位置限定部２５０は、コンパートメント部２３０に接続されるように上部チャンバＳ１１に位置し、回り止めユニット４００を位置限定する。位置限定部２５０の作用によって、回り止めユニット４００を上部チャンバＳ１１に位置限定して、ケースユニット２００から離脱することを避けることができる。好ましくは、ケースユニット２００は、スルーホール２６０を含んでよい。スルーホール２６０がコンパートメント部２３０に位置する。位置限定部２５０が４つの位置限定部アーム２５１を含む。４つの位置限定部アーム２５１は、間隔をあけてスルーホール２６０に囲まれ、その各々の自由端２５１１が回り止めユニット４００を位置限定する。スルーホール２６０が軸方向Ｉ１に沿ってコンパートメント部２３０の中心を貫通して下部チャンバＳ１２と上部チャンバＳ１１とを連通させる。４つの位置限定部アーム２５１がコンパートメント部２３０からスルーホール２６０に隣接して軸方向Ｉ１に沿って上へ突出し、径方向の突出リップ構造を有する自由端２５１１を形成する。これにより、回り止めユニット４００は軸方向Ｉ１に沿って上から下まで上部チャンバＳ１１に置かれてよい。４つの位置限定部アーム２５１が圧力を受けてから径方向に変形して回り止めユニット４００の中心孔（図示せず）を通り、回り止めユニット４００が完全に上部チャンバＳ１１に置かれた後で、４つの位置限定部アーム２５１がリセットし、且つ自由端２５１１が回り止めユニット４００を位置限定して、回り止めユニット４００を位置限定する効果を達成する。
【００２５】
締結装置１００は、リール３００及び位置決め軸６００を更に含んでよい。リール３００は、収容空間に位置限定され、且つフレキシブル係合部３４０を含む。位置決め軸６００は、フレキシブル係合部３４０に結合されるようにリール３００に挿通され、軸方向Ｉ１を有し、且つノブ５００により連動され、ノブ５００が第１の位置に位置する場合リール３００に結合される。これにより、ノブ５００が第１の位置に位置する場合に回り止めユニット４００に結合され、且つ回り止めユニット４００が少なくとも１つの噛み歯２４０に第１の方向Ｒ１で係合してリール３００の第１の方向Ｒ１への回転を阻止する。それに対して、ノブ５００が第２の位置に位置する場合に回り止めユニット４００から離脱するため、回り止めユニット４００は、リール３００の第１の方向Ｒ１への回転を阻止しない。
【００２６】
リール３００は、中空主体３１０、上ループ部３２０及び下ループ部３３０を含んでよい。中空主体３１０は、位置決め軸６００が挿通するための貫通空間Ｔ２を形成するように囲んでなる内周壁３１１を含む。上ループ部３２０が中空主体３１０の一端（図示せず）から径方向に外へ突出する。下ループ部３３０が中空主体３１０の他端から径方向に外へ突出する。上ループ部３２０と下ループ部３３０との間に巻線トラックＴ１が形成され、且つフレキシブル係合部３４０が内周壁３１１から貫通空間Ｔ２へ突出して位置決め軸６００に結合される。また、位置決め軸６００は位置決めバルジ６１０を含んでよく、ノブ５００が第１の位置に位置する場合、位置決めバルジ６１０がフレキシブル係合部３４０の一側に位置し、ノブ５００が軸方向Ｉ１に沿って第１の位置から第２の位置に切り替えられる場合、位置決めバルジ６１０がフレキシブル係合部３４０を変形するように当接してからフレキシブル係合部３４０の他側に位置変更する。
【００２７】
詳しく言えば、内周壁３１１は上径段３１１２及び下径段３１１１を含み、上径段３１１２が直面領域（図示せず）及び斜面領域（図示せず）を有し、直面領域が斜面領域を接続し、斜面領域が下径段３１１１を接続し、フレキシブル係合部３４０が４つの係合アーム３４１を含み斜面領域から貫通空間Ｔ２へ突出し径方向の突出リップ構造を有する係合端３４１１を形成する。位置決め軸６００は底部６２０及び軸部６３０を更に含み、軸部６３０が底部６２０に設けられ、位置決めバルジ６１０が軸部６３０に位置し、従って、位置決め軸６００は下から上へ貫通空間Ｔ２に入りフレキシブル係合部３４０に係合されてよく、且つ底部６２０が下径段３１１１に位置限定される。締結装置１００はネジ部品７００を更に含んでよく、ネジ部品７００が位置決め軸６００及びノブ５００を接続することに用いられてよい。これにより、位置決め軸６００とノブ５００とを連動させる。
【００２８】
ノブ５００が位置決め軸６００の軸方向Ｉ１に沿って上へ移動するように駆動する場合、位置決めバルジ６１０が４つの係合アーム３４１を当接して４つの係合アーム３４１を径方向に変形させて、位置決めバルジ６１０がフレキシブル係合部３４０の前記一側から前記他側に変位し、４つの係合アーム３４１がリセットし、これにより、ノブ５００を第２の位置に保持させる。
【００２９】
巻線トラックＴ１はひも（未図示）が巻き取ることに用いられ、ケースユニット２００が２つのラインホール２７０を更に含んでよく、２つのラインホール２７０が下周壁２２２に位置し、ラインホール２７０が下部チャンバＳ１２と連通してよく、従って、ひもが２つのラインホール２７０によって下部チャンバＳ１２に入ったりここから出たりしてよく巻線トラックＴ１から巻き出され又はこれに巻き取られる。
【００３０】
ノブ５００は、複数の第１の駆動歯５４０を含んでよく、回り止めユニット４００が複数の第１の結合歯４１０を含み、ノブ５００が第１の位置に位置する場合、第１の駆動歯５４０が第１の結合歯４１０に噛み合い、ノブ５００が第２の位置に位置する場合、第１の駆動歯５４０が第１の結合歯４１０から離脱する。また、ノブ５００は蓋本体５１０、ボス５２０及び複数の第２の駆動歯５３０を更に含んでよい。蓋本体５１０は、ケースユニット２００を覆う。ボス５２０は、スルーホール２６０に伸びるように蓋本体５１０に設けられる。複数の第２の駆動歯５３０は、リール３００に結合されるように、ボス５２０の蓋本体５１０から離れる遠位端に位置する。
【００３１】
ノブ５００の蓋本体５１０は内頂面（図示せず）を含み、ボス５２０が内頂面朝から内頂面から離れる方向へ突出し、第２の駆動歯５３０がボス５２０の外周面に位置し、複数の第１の駆動歯５４０が内頂面に位置し且つボス５２０を囲む。回り止めユニット４００は中空環状本体４３０を含んでよく、複数の第１の結合歯４１０が中空環状本体４３０の上端に位置し、蓋本体５１０がケースユニット２００に組み立てられる場合、第１の駆動歯５４０が対応して第１の結合歯４１０に噛み合い、ボス５２０がスルーホール２６０に伸びてよく、これにより第２の駆動歯５３０が上径段３１１２に位置する複数の第２の結合歯（図示せず）と結合して、ノブ５００をリール３００に結合させる。
【００３２】
本実施例において、回り止めユニット４００が複数のラチェットアーム４２０を更に含み、各ラチェットアーム４２０が各中空環状本体４３０から外へ突出し、且つラチェットアーム４２０が第１の方向Ｒ１で少なくとも１つの噛み歯２４０と噛み合って、これにより回り止めユニット４００が第１の方向Ｒ１へ回転できなく、逆に、各ラチェットアーム４２０が第１の方向Ｒ１と反対する第２の方向Ｒ２で絶えずに噛み歯２４０から離脱し、これにより回り止めユニット４００がケースユニット２００に対して第２の方向Ｒ２へ回転することができる。
【００３３】
図４に示すように、この時のノブ５００が第１の位置に位置し、ノブ５００の第１の駆動歯５４０が回り止めユニット４００の第１の結合歯４１０に噛み合い、ノブ５００の第２の駆動歯５３０がリール３００の第２の結合歯に噛み合い、使用者がノブ５００を第２の方向Ｒ２へ回転する場合、ラチェットアーム４２０は絶えずに噛み歯２４０から離脱し、ノブ５００がひもを締め付けるようにリール３００を駆動し、逆に、使用者がノブ５００を放す場合、ラチェットアーム４２０が少なくとも１つの噛み歯２４０に係合され、ノブ５００の回転が回り止めユニット４００に制限されると共に、リール３００の第１の方向Ｒ１への回転を阻止し、締結効果を達成することができる。
【００３４】
図５に示すように、使用者がひもを放そうとする時に、ノブ５００を軸方向Ｉ１に沿って上へ引き、この時のノブ５００の第１の駆動歯５４０が回り止めユニット４００の第１の結合歯４１０から離脱し、ノブ５００の第２の駆動歯５３０もリール３００の第２の結合歯から離脱するため、ノブ５００及びリール３００の回転が回り止めユニット４００に制限されない。他の実施例において、ノブが第２の位置に位置する場合、ノブの第２の駆動歯がリールの第２の結合歯から離脱しなくてもよいが、これに限定されない。
【００３５】
図６、図７、図８、図９及び図１０を参照されたい。図６は、本発明の別の実施例による締結装置１００ａを示す斜視模式図である。図７は、図６の締結装置１００ａを示す分解模式図である。図８は、図６の締結装置１００ａを示す別の分解模式図である。図９は、図６の締結装置１００ａを示す断面模式図である。図１０は、図６の締結装置１００ａを示す別の断面模式図である。締結装置１００ａの構造と図１〜図５の締結装置１００と類似しているが、リール３００ａとノブ５００ａの結合形態は異なる。
【００３６】
より詳しく言えば、ノブ５００ａは蓋本体５１０ａ、ボス５２０ａ及び複数の第２の駆動歯５３０ａを更に含んでよい。蓋本体５１０ａは、ケースユニット２００ａを覆う。ボス５２０ａは、スルーホール（図示せず）に対応するように、蓋本体５１０ａに設けられる。複数の第２の駆動歯５３０ａは、ボス５２０ａの蓋本体５１０ａから離れる遠位端に位置する。締結装置１００ａは、遊星歯車セット８００ａを更に含む。遊星歯車セット８００ａは、太陽歯車８１０ａ及び複数の遊星歯車８２０ａ（本実施例において、４つの遊星歯車８２０ａを含む）を含む。太陽歯車８１０ａは、第２の駆動歯５３０ａに噛み合う。複数の遊星歯車８２０ａは、太陽歯車８１０ａに噛み合うように、間隔をあけてリール３００ａに設けられる。ケースユニット２００ａは、複数の遊星歯車８２０ａに噛み合うように、下部チャンバＳ１２に位置する複数の遊星内歯２８０ａを更に含む。
【００３７】
ボス５２０ａが遠位端に位置するノッチ（図示せず）を有し、第２の駆動歯５３０ａがノッチ内に位置し、太陽歯車８１０ａがノッチに嵌めあわれて第２の駆動歯５３０ａに噛み合い、リール３００ａは４つの遊星歯車８２０ａが枢設するための４つの枢軸３５０ａを含む。
【００３８】
ケースユニット２００ａのコンパートメント部２３０ａは上周壁２２１ａの中間部から内に突出してよく、コンパートメント部２３０ａを分界とし、上周壁２２１ａの上半領域が上部チャンバＳ１１を形成し、上周壁２２１ａの下半領域と下周壁２２２ａ及びシャーシ（図示せず）が下部チャンバＳ１２を形成し、遊星内歯２８０ａが上周壁２２１ａの下半領域に設けられてよい。ノブ５００ａが回転する場合、第２の駆動歯５３０ａは太陽歯車８１０ａを駆動して、遊星歯車８２０ａが太陽歯車８１０ａの作用によって遊星内歯２８０ａに沿って回転し変位して、リール３００ａを回転させる。
【００３９】
従って、図９に示すように、この時のノブ５００ａが第１の位置に位置し、ノブ５００ａの第１の駆動歯５４０ａが回り止めユニット４００ａの第１の結合歯４１０ａに噛み合い、ノブ５００ａの第２の駆動歯５３０ａが遊星歯車セット８００ａに噛み合い、使用者がノブ５００ａを第２の方向へ回転する場合、ラチェットアーム４２０ａが絶えずに噛み歯２４０ａから離脱し、ノブ５００ａがひもを締め付けるようにリール３００ａを駆動し、逆に、使用者がノブ５００ａを放す場合、ラチェットアーム４２０ａが少なくとも１つの噛み歯２４０ａに係合し、ノブ５００ａの回転が回り止めユニット４００ａに制限されると共に、リール３００ａが第１の方向へ回転することを阻止し、締結効果を達成することができる。
【００４０】
図１０に示すように、使用者がひもを放そうとする時に、ノブ５００ａを軸方向Ｉ１に沿って上へ引き、この時のノブ５００ａの第１の駆動歯５４０ａが回り止めユニット４００ａの第１の結合歯４１０ａから離脱し、ノブ５００ａ及びリール３００ａの回転が回り止めユニット４００ａに制限されない。太陽歯車８１０ａが相変わらず遊星歯車８２０ａと噛み合うため、ノブ５００ａとリール３００ａとは相変わらず結合関係を保持する。
【００４１】
本発明の実施例を前記の通りに開示したが、これは、本発明を限定するものではなく、業者であれば、本発明の精神と範囲から逸脱しない限り、多様の変更や修飾を加えてもよく、従って、本発明の保護範囲は、後の特許請求の範囲で指定した内容を基準とするものである。
【符号の説明】
【００４２】
１００、１００ａ  締結装置
２００、２００ａ  ケースユニット
２１０  シャーシ
２２０  側壁
２２１、２２１ａ  上周壁
２２２、２２２ａ  下周壁
２２３  位置決め部
２２４  位置決め孔
２３０、２３０ａ  コンパートメント部
２４０、２４０ａ  噛み歯
２５０  位置限定部
２５１  位置限定部アーム
２５１１  自由端
２６０  スルーホール
２７０  ラインホール
３００、３００ａ  リール
３１０  中空主体
３１１  内周壁
３１１１  下径段
３１１２  上径段
３２０  上ループ部
３３０  下ループ部
３４０  フレキシブル係合部
３４１  係合アーム
３４１１  係合端
４００  回り止めユニット
４１０  第１の結合歯
４２０  ラチェットアーム
４３０  中空環状本体
５００、５００ａ  ノブ
５１０  蓋本体
５２０、５２０ａ  ボス
５３０  第２の駆動歯
５４０  第１の駆動歯
６００  位置決め軸
６１０  位置決めバルジ
６２０  底部
６３０  軸部
７００  ネジ部品
Ｔ１  巻線トラック
Ｔ２  貫通空間
２８０ａ  遊星内歯
３５０ａ  枢軸
４００ａ  回り止めユニット
４１０ａ  第１の結合歯
４２０ａ  ラチェットアーム
５１０ａ  蓋本体
５３０ａ  第２の駆動歯
５４０ａ  第１の駆動歯
８００ａ  遊星歯車セット
８１０ａ  太陽歯車
８２０ａ  遊星歯車
Ｉ１  軸方向
Ｒ１  第１の方向
Ｒ２  第２の方向
Ｓ１１  上部チャンバ
Ｓ１２  下部チャンバ
【図１】
2020179145.tif 000003
【図２】
2020179145.tif 000004
【図３】
2020179145.tif 000005
【図４】
2020179145.tif 000006
【図５】
2020179145.tif 000007
【図６】
2020179145.tif 000008
【図７】
2020179145.tif 000009
【図８】
2020179145.tif 000010
【図９】
2020179145.tif 000011
【図１０】
2020179145.tif 000012